(57)【要約】【課題】コストの増大を抑えつつ、原稿押さえ部材が開いた状態でも、原稿のサイズを正確に検知できるようにする。【解決手段】原稿押さえ部材が開いているときに原稿読取部５の有する光源が点灯している状態で、原稿載置面の奥側から予め定められた距離の範囲内において原稿読取部５による読み取りで得られた画像データに基づいて、副走査方向における原稿のサイズを検知する原稿サイズ検知部１０２を備える。【選択図】図３
2019068259.tif 000002
【特許請求の範囲】
【請求項１】
装置本体の一端部側で原稿載置面に対して開閉自在に支持される原稿押さえ部材と、
前記原稿載置面に載置されている原稿に向かって、主走査方向に沿って光を出射する光源を有すると共に、当該光源を副走査方向に移動させながら、前記原稿を走査し、当該原稿からの反射光を受光して前記原稿の画像を読み取る原稿読取部と、
副走査方向における前記原稿読取部による原稿読取開始位置からの副走査方向各位置の原稿画像を示す画像データにおいて、上記原稿読取開始位置から、黒画像を示す予め定められた値以下の画像が出現する副走査方向位置までの領域を、前記原稿を読み取った画像領域とし、当該画像領域の副走査方向距離を、副走査方向における前記原稿のサイズとして検知する原稿サイズ検知部とを備え、
前記原稿サイズ検知部は、前記原稿押さえ部材が前記原稿載置面から離れた開状態のときに前記光源が点灯している状態で、前記原稿載置面の前記一端部側から前記主走査方向に予め定められた距離の範囲内において前記原稿読取部による読み取りで得られた画像データを用いて、前記副走査方向における原稿のサイズの検知を行う画像読取装置。
【請求項２】
前記予め定められた距離の範囲は、外乱光の影響を受けない予め定められた範囲である請求項１に記載の画像読取装置。
【請求項３】
前記原稿サイズ検知部は、更に、前記原稿押さえ部材が開いているときに前記光源が点灯していない状態で、前記原稿読取部による読み取りで得られた画像データと、前記原稿押さえ部材が開いているときに前記光源が点灯している状態で、前記原稿読取部による読み取りで得られた画像データとを比較し、当該両データで異なる画像データ部分となる領域を原稿載置領域と特定することによって、主走査方向における原稿のサイズを検知する請求項１又は請求項２に記載の画像読取装置。
【請求項４】
前記原稿サイズ検知部は、更に、前記原稿押さえ部材が完全に閉じられる直前に前記光源を点灯させ、前記光源が点灯している状態で、前記原稿読取部による読み取りで得られた画像データに基づいて、主走査方向における原稿のサイズを検知し、
前記原稿サイズ検知部は、当該主走査方向における原稿のサイズの検知を行った場合には、前記原稿の副走査方向における原稿サイズを、予め定められた定型の原稿サイズについての主走査方向サイズ及び副走査方向サイズを示す情報から、前記検知した主走査方向における原稿のサイズに対応する副走査方向における原稿のサイズを決定する請求項１乃至請求項３のいずれかに記載の画像読取装置。
【請求項５】
操作部からのユーザー入力を受け付ける操作受付部と、
前記原稿読取部による読み取りで得られた画像データを補正することによって、当該画像データが示す原稿画像の輪郭よりも内側に予め定められた位置まで入り込んだ原稿画像部分を含む周囲画像を消去する枠消し処理部と、
前記原稿サイズ検知部により検知された原稿サイズに基づいて、前記原稿載置面に載置されている原稿がＩＤカードであると判断した場合、又は前記操作受付部が読取対象の原稿がＩＤカードであるとのユーザーによる指定が前記操作受付部に受け付けられた場合に、原稿画像の輪郭から上記予め定められた位置までの距離を予め定められた値だけ小さくする、又は、原稿画像の輪郭から上記予め定められた位置までの消去処理を禁止する制限部と、を更に備える請求項１乃至請求項４のいずれかに記載の画像読取装置。
【発明の詳細な説明】
【技術分野】
【０００１】
本発明は、画像読取装置に関し、特に、原稿のサイズを検知する技術に関する。
【背景技術】
【０００２】
画像読取装置には、原稿載置面に載置されている原稿のサイズを検知する機能を有するものがある。主走査方向における原稿のサイズを検知する手段としては、原稿押さえ部材（例えば、原稿マット）が完全に閉められる直前に光源を点灯させ、原稿を読み取る読取センサーに入射した光により、原稿のサイズを検知するものがある。一方、副走査方向における原稿のサイズを検知する手段としては、定形の各種サイズ（Ｂ５判，Ａ４判，Ｂ４判等）の原稿を載置する領域に、専用のセンサー（例えば、反射型センサー）を設置し、各々のセンサーからの検出結果の組み合わせに基づいて、原稿のサイズを検知するものがある。
【０００３】
ところが、主走査方向における原稿のサイズについては、原稿押さえ部材が完全に閉められる前に光源を点灯させて検知するため、天井に取り付けられた照明具等からの外部光が外乱光として、読取センサーに入射し、正確な検知ができなくなるおそれがある。
【０００４】
このような問題を解決する発明として、下記の特許文献１に、原稿押さえ部材が開いているときに、露光ランプ（光源）が点灯していない状態及び点灯している状態で、コンタクトガラス（原稿載置面）上に載置された原稿をＣＣＤ（Ｃｈａｒｇｅ  Ｃｏｕｐｌｅｄ  Ｄｅｖｉｃｅ）で読み取らせ、これら読み取りで得られた画像データの変化に基づいて、外乱光の影響を受ける部分を特定することによって、原稿の幅方向（主走査方向）のサイズを正確に検知することが記載されている。
【先行技術文献】
【特許文献】
【０００５】
【特許文献１】特開２００１−１４７４９４号公報
【発明の概要】
【発明が解決しようとする課題】
【０００６】
画像読取装置において、原稿押さえ部材が開いている状態で、原稿載置面に載置されている原稿をＣＣＤ等の読取センサーで読み取らせた場合、原稿の外側の余白部分が黒く読み取られることがある。特に、ＩＤカード（例えば、クレジットカード）や帳票（例えば、伝票）などの原稿の読取は、原稿押さえ部材を開けたままで行われることが比較的多い。
【０００７】
原稿の外側の余白部分が黒く読み取られる事態を解決するために、上記特許文献１に示された技術のように、既存の原稿外消去機能（原稿の外側の領域を白くする機能）を実行可能なシステムを採用することが考えられるが、当該機能は高価であり、コストが増大する。
【０００８】
また、別の方法として、原稿載置面に載置されている原稿のサイズを検知し、検知した原稿のサイズから原稿の読取サイズを設定し、設定した読取サイズで原稿の読み取りを行う方法が考えられるが、副走査方向において、多種多様な原稿（特に、ＩＤカードや帳票）のサイズに柔軟に対処するには、専用のセンサーを多数設置しなければならず、やはりコストが増大する。
【０００９】
本発明は、上記の事情に鑑みなされたものであり、コストの増大を抑えつつ、原稿押さえ部材が開いた状態でも、原稿のサイズを正確に検知できるようにすることを目的とする。
【課題を解決するための手段】
【００１０】
原稿押さえ部材が開状態のときに、原稿載置面に原稿が載置されている状態で、原稿載置面の下方に配置された光源を点灯させると、原稿が載置されている原稿載置領域においては、光源から出射された光が原稿によって反射され、原稿が存在しない領域においては、光源から出射された光は反射されない。従って、反射光の有無を読取センサーによって検出し、原稿載置領域を特定することによって、原稿のサイズを検知可能である。具体的には、反射光が読取センサーに入射している部分の画像データは白画像となり、それ以外の部分の画像データは黒画像となる。
【００１１】
ところが、上記のように原稿押さえ部材が開いていると、原稿が存在しない領域においても、光源から出射された光が原稿押さえ部材に反射されて散乱した散乱光や、天井に取り付けられた照明具等からの外部光が、外乱光として、読取センサーに入射し、原稿載置領域以外の部分の画像データが白画像となることがある。
【００１２】
読取センサーには、大きく分けてＣＣＤ方式とＣＩＳ（Ｃｏｎｔａｃｔ Ｉｍａｇｅ Ｓｅｎｓｏｒ）方式があるが、ＣＩＳ方式はＣＣＤ方式と比較して、外乱光の影響を受けやすい。図１及び図２は、外乱光の影響を説明するための説明図である。図１及び図２のそれぞれにおいて、（Ａ）は原稿押さえ部材と原稿載置面との位置関係を示した概略図であり、（Ｂ）は原稿押さえ部材が開いている状態で、原稿を載置せずに、原稿載置面全体をスキャンした場合に得られる画像データの一例を示した図である。また、図１は、読取センサーとしてＣＣＤが採用された場合を示し、図２は、読取センサーとしてＣＩＳが採用された場合を示している。
【００１３】
原稿押さえ部材として機能する原稿マット６１は、原稿を載置するためのプラテンガラス１６１の上面に対して接離自在に、読取装置の一端部側（これを装置奥側とする）に開閉自在に支持されている。図１（Ｂ）では、画像データＤＡは、読取センサーとしてＣＣＤを採用した場合に読取センサーが備える光源を点灯させた読取で得られる画像データであり、図中の上下方向が副走査方向となり、図中の左右方向が主走査方向となる。画像データＤＡが示す画像は、全体的に黒画像で、プラテンガラス１６１の奥側から離れた位置で、白画像ＷＨが副走査方向に帯状に延びている。白画像部分は、外乱光の影響を受けている部分であるが、その部分は比較的狭い。
【００１４】
図２（Ｂ）に示した画像データＤＢは、読取センサーとしてＣＩＳを採用した場合に読取センサーが備える光源を点灯させた読取で得られる画像データである。画像データＤＢが示す画像は、プラテンガラス１６１の奥側から距離ＬＡ以下の部分は黒画像（グレー画像）ＢＬで、それ以外の部分は白画像である。外乱光の影響を受けた白画像部分は比較的広いが、プラテンガラス１６１の奥側から距離ＬＡ以下の範囲は白画像ではない。そのため、この範囲内であれば、原稿押さえ部材が開いた状態でも、原稿載置領域を特定することができる。
【００１５】
また、図１（Ｂ）に示したように、読取センサーがＣＣＤであっても、プラテンガラス１６１の奥側から距離ＬＡ以下の範囲における画像データＤＡが示す画像も黒画像であるので、当該範囲内であれば、原稿押さえ部材が開いた状態でも、原稿載置領域を特定することができる。従って、当該範囲は原稿載置領域を特定する点においては、外乱光の影響を受けない範囲といえる。
【００１６】
本発明の一局面に係る画像読取装置は、装置本体の一端部側で原稿載置面に対して開閉自在に支持される原稿押さえ部材と、前記原稿載置面に載置されている原稿に向かって、主走査方向に沿って光を出射する光源を有すると共に、当該光源を副走査方向に移動させながら、前記原稿を走査し、当該原稿からの反射光を受光して前記原稿の画像を読み取る原稿読取部と、副走査方向における前記原稿読取部による原稿読取開始位置からの副走査方向各位置の原稿画像を示す画像データにおいて、上記原稿読取開始位置から、黒画像を示す予め定められた値以下の画像が出現する副走査方向位置までの領域を、前記原稿を読み取った画像領域とし、当該画像領域の副走査方向距離を、副走査方向における前記原稿のサイズとして検知する原稿サイズ検知部とを備え、前記原稿サイズ検知部は、前記原稿押さえ部材が前記原稿載置面から離れた開状態のときに前記光源が点灯している状態で、前記原稿載置面の前記一端部側から前記主走査方向に予め定められた距離の範囲内において前記原稿読取部による読み取りで得られた画像データを用いて、前記副走査方向における原稿のサイズの検知を行う。
【発明の効果】
【００１７】
本発明によれば、原稿押さえ部材が開いているときに光源が点灯している状態で、原稿押さえ部材が原稿載置面に対して開閉自在に支持されている装置本体の一端部側から予め定められた距離の範囲内において原稿読取部による読み取りで得られた画像データに基づいて、副走査方向における原稿のサイズが検知される。
【００１８】
原稿載置面の上記一端部側から近い場所は、原稿押さえ部材が開いた状態でも、外乱光の影響を受けないので、副走査方向における原稿載置領域を正確に特定することができる。従って、原稿押さえ部材が開いた状態でも、副走査方向における原稿のサイズを正確に検知することができる。このため、副走査方向における原稿のサイズを検知するための専用のセンサーを新たに設置する必要はないので、コストの増大を抑えることが可能になる。
【図面の簡単な説明】
【００１９】
【図１】外乱光の影響を説明するための説明図である。
【図２】外乱光の影響を説明するための説明図である。
【図３】本発明の第１実施形態に係る画像読取装置を備えてなる、画像形成装置の主要内部構成を概略的に示した機能ブロック図である。
【図４】第１実施形態に係る画像読取装置を備えてなる、画像形成装置の外観を示した斜視図である。
【図５】プラテンガラスに原稿が載置された状態の一例を示し、上方から見た図である。
【図６】主走査方向における原稿のサイズの検知方法を説明するための説明図である。
【図７】副走査方向における原稿のサイズの検知方法を説明するための説明図である。
【図８】副走査方向における原稿のサイズの検知方法を説明するための説明図である。
【図９】第２実施形態に係る画像読取装置を備えてなる、画像形成装置の主要内部構成を概略的に示した機能ブロック図である。
【発明を実施するための形態】
【００２０】
以下、本発明の一実施形態に係る画像読取装置について図面を参照して説明する。図３は、本発明の第１実施形態に係る画像読取装置を備えてなる、画像形成装置の主要内部構成を概略的に示した機能ブロック図であり、図４は、第１実施形態に係る画像読取装置を備えてなる、画像形成装置の外観を示した斜視図である。
【００２１】
画像形成装置１は、例えば、コピー機能、プリンター機能、スキャナー機能、及びファクシミリ機能のような複数の機能を兼ね備えた複合機である。画像形成装置１は、制御ユニット１０、原稿給送部６、原稿読取部５、画像形成部１２、定着部１３、給紙部１４、操作部４７、及びマット開閉検知センサー５１を備える。
【００２２】
画像形成装置１で原稿読取動作が行われる場合について説明する。原稿給送部６により搬送されてきた原稿、又はプラテンガラス１６１に載置されている原稿の画像を、原稿読取部５が光学的に読み取り、そして画像データを生成する。原稿読取部５により生成された画像データは、図略の画像メモリー等に保存される。なお、プラテンガラス１６１は、特許請求の範囲における原稿載置面の一例である。
【００２３】
また、原稿給送部６は、原稿読取部５の上面にヒンジ等によって開閉可能に構成され、原稿給送部６は、原稿マット６１を備え、プラテンガラス１６１上に載置された原稿を読み取る場合に原稿押さえ部材カバーとして機能する。原稿読取部５には、原稿マット６１の開閉状態を検知するためのマット開閉検知センサー５１が設けられている。なお、原稿マット６１は、特許請求の範囲における原稿押さえ部材の一例である。
【００２４】
原稿読取部５は、主走査方向に沿ってプラテンガラス１６１に載置されている原稿に向かって光を出射する光源を有すると共に、当該光源を１ラインずつ副走査方向に移動させながら、原稿を走査し、当該原稿からの反射光を受光して原稿の画像を読み取る。原稿読取部５には、ＣＣＤ（Ｃｈａｒｇｅ  Ｃｏｕｐｌｅｄ  Ｄｅｖｉｃｅ）又はＣＩＳ（Ｃｏｎｔａｃｔ  Ｉｍａｇｅ  Ｓｅｎｓｏｒ）のいずれが採用されてもよいが、本実施形態では、ＣＣＤを採用する場合を説明する。
【００２５】
画像形成装置１で画像形成動作が行われる場合について説明する。原稿読取動作により生成された画像データや、ネットワーク接続された外部装置としてのコンピューターから受信した画像データ等に基づいて、画像形成部１２が、給紙部１４から給紙される記録媒体としての記録紙にトナー像を形成する。
【００２６】
定着部１３は、熱圧着によりトナー像を記録紙に定着させるものであり、定着処理が施された記録紙は排出トレイ１５１に排出される。給紙部１４は、給紙カセットを備える。
【００２７】
操作部４７は、画像形成装置１が実行可能な各種動作及び処理について、操作者から、画像形成動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００２８】
制御ユニット１０は、プロセッサー、ＲＡＭ（Ｒａｎｄｏｍ  Ａｃｃｅｓｓ  Ｍｅｍｏｒｙ）、ＲＯＭ（Ｒｅａｄ Ｏｎｌｙ Ｍｅｍｏｒｙ）、及び専用のハードウェア回路を含んで構成される。プロセッサーは、例えばＣＰＵ（Ｃｅｎｔｒａｌ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、又はＭＰＵ（Ｍｉｃｒｏ  Ｐｒｏｃｅｓｓｉｎｇ  Ｕｎｉｔ）等である。制御ユニット１０は、制御部１００と、操作受付部１０１と、原稿サイズ検知部１０２とを備えている。
【００２９】
制御ユニット１０は、ＨＤＤ９２（Ｈａｒｄ  ｄｉｓｋ  ｄｒｉｖｅ）に記憶されている制御プログラムに従った動作により、制御部１００、操作受付部１０１、及び原稿サイズ検知部１０２として機能する。但し、制御部１００等は、制御ユニット１０による制御プログラムに従った動作によらず、上記各部をそれぞれハードウェア回路により構成することも可能である。以下、特に触れない限り、各実施形態について同様である。
【００３０】
制御部１００は、画像形成装置１の全体的な動作制御を司る。制御部１００は、原稿給送部６、原稿読取部５、画像形成部１２、定着部１３、給紙部１４、操作部４７、ＨＤＤ９２、及びマット開閉検知センサー５１と接続され、これら各部の駆動制御等を行う。
【００３１】
操作受付部１０１は、操作部４７を介したユーザーからの操作入力を受け付ける。
【００３２】
原稿サイズ検知部１０２は、プラテンガラス１６１に載置されている原稿のサイズを検知する。
【００３３】
図５は、プラテンガラス１６１に原稿が載置された状態の一例を示し、上方から見た図であり、原稿Ｍ１（例えば、ＩＤカード）はプラテンガラス１６１の奥側コーナーＣ１に合わせて載置されている状態を示す。原稿マット６１が原稿載置面に対して開閉自在に支持される画像形成装置１の装置本体の一端部側を奥側とする。以下、奥側コーナーＣ１に合わせてプラテンガラス１６１に載置されている原稿Ｍ１のサイズを検知する場合を例に挙げて、原稿のサイズを検知する手段について説明する。
【００３４】
（１）原稿マット６１が開いている状態で、プラテンガラス１６１に載置されている原稿Ｍ１の読取開始のユーザー指示があったとき。
【００３５】
（１−１）主走査方向における原稿Ｍ１のサイズの検知について説明する。
【００３６】
制御部１００は、マット開閉検知センサー５１から得られる検知信号に基づいて、原稿マット６１が開いていると判断したときに、操作受付部１０１がプラテンガラス１６１に載置されている原稿Ｍ１の読取開始のユーザー指示を受け付けると、原稿読取部５の動作を制御することによって、原稿読取部５の有する光源を点灯させないまま、プラテンガラス１６１に載置されている原稿Ｍ１を、原稿読取開始位置（例えば、副走査方向における奥側コーナーＣ１付近の位置）から、主走査方向に延びるライン例えば１ライン分読み取らせ、原稿読取部５による読み取りで得られた画像データを比較画像データとして記憶する。
【００３７】
続いて、制御部１００は、原稿読取部５の動作を制御することによって、原稿読取部５の有する光源を点灯させ、プラテンガラス１６１に載置されている原稿Ｍ１を主走査方向に消灯時と同様のライン数である１ライン分読み取らせ、原稿読取部５による読み取りで得られた画像データを取り込む。原稿サイズ検知部１０２は、取り込まれた当該画像データと比較画像データとしての画像データとを比較して、主走査方向における原稿Ｍ１のサイズを検知する。
【００３８】
例えば、原稿サイズ検知部１０２は、取り込んだ画像データと、比較画像データとしての画像データとを比較し、データが異なっている領域を原稿載置領域と特定することによって、主走査方向における原稿Ｍ１のサイズを検知する。
【００３９】
図６（Ａ）は、原稿Ｍ１がプラテンガラス１６１に載置されている状態で、光源を点灯させずに、原稿読取部５による読み取りで得られた比較画像データとしての画像データＤ１の一例を示し、図６（Ｂ）は、原稿Ｍ１がプラテンガラス１６１に載置されている状態で、光源を点灯させて、原稿読取部５による読み取りで得られた画像データＤ２の一例を示している。
【００４０】
比較画像データとしての画像データＤ１の示す画像は、外乱光が読取センサーに入射している部分Ｐ１が白画像となり、その他の部分は黒画像となっている。一方、画像データＤ２は、外乱光が読取センサーに入射している部分Ｐ１だけでなく、光源から出射され、原稿Ｍ１（図示せず）に反射された反射光が読取センサーに入射している部分Ｐ２も白画像となっている。
【００４１】
従って、原稿サイズ検知部１０２は、画像データＤ１と画像データＤ２とを比較し、両画像データでデータが異なっている領域（部分Ｐ２）を原稿載置領域と特定する。原稿サイズ検知部１０２は、プラテンガラス１６１（図示せず）の奥側からの距離Ｓ１（部分Ｐ２の長さ）を、主走査方向における原稿Ｍ１のサイズとして検知する。
【００４２】
（１−２）副走査方向における原稿Ｍ１のサイズの検知について説明する。
【００４３】
制御部１００は、マット開閉検知センサー５１から得られる検知信号に基づいて、原稿マット６１が開いていると判断したときに、操作受付部１０１がプラテンガラス１６１に載置されている原稿の読取開始のユーザー指示を受け付けると、原稿読取部５の動作を制御することによって、原稿読取部５の有する光源を点灯させ、原稿読取部５を、副走査方向における上記原稿読取開始位置から、当該原稿読取開始位置とは反対側となる副走査方向におけるコンタクトガラス１６１の端部まで副走査方向に移動させながら、原稿読取動作を行わせる。
【００４４】
続いて、制御部１００は、当該光源が点灯している状態で、図７に示すように、プラテンガラス１６１の奥側から予め定められた距離Ｌ１（例えば、３ｍｍ程度）の範囲内（図中、斜線で示した領域）において、原稿読取部５による読み取りで得られた画像データを取り込む。原稿サイズ検知部１０２は、当該取り込んだ画像データに基づいて、副走査方向における原稿載置領域（原稿後端までの領域）を特定することによって、副走査方向における原稿のサイズを検知する。上記範囲は、原稿マット６１が開いている状態で光源を点灯させて原稿読取部５による読み取りを行った場合に外乱光の影響を受けない範囲である。当該範囲を示す距離Ｌ１は、実験によって予め決定され、例えば、図２に示した距離ＬＡ以下に決定される。
【００４５】
図８は、原稿Ｍ１がプラテンガラス１６１に載置されている状態で、光源を点灯させて、プラテンガラス１６１の奥側から予め定められた距離Ｌ１の範囲内において、原稿読取部５による読み取りで得られた画像データＤ３の一例を示した図である。
【００４６】
画像データＤ３の示す画像は、光源から出射され、原稿Ｍ１に反射された反射光が読取センサーに入射している部分Ｐ３が白画像（原稿Ｍ１が白紙の場合）となり、それ以外の部分Ｐ４が黒画像となる。すなわち、プラテンガラス１６１の図中左側の上記原稿読取開始位置から距離Ｓ２までの部分が白くなるため、原稿サイズ検知部１０２は、距離Ｓ２を副走査方向における原稿Ｍ１のサイズと検知する。例えば、原稿サイズ検知部１０２は、上記原稿読取開始位置からの副走査方向各位置の原稿画像を示す画像データＤ３において、上記原稿読取開始位置から、黒画像を示す予め定められた値（例えば２５６階調の場合に２０）以下の画像が出現する副走査方向位置までの領域を、原稿Ｍ１を読み取った画像領域とし、当該領域の副走査方向距離を原稿Ｍ１の副走査方向におけるサイズとして検知する。
【００４７】
（２）原稿マット６１が閉められるとき。
【００４８】
（２−１）主走査方向における原稿Ｍ１のサイズの検知について説明する。
【００４９】
制御部１００は、マット開閉検知センサー５１から得られる検知信号に基づいて、原稿マット６１が完全に閉じられる直前と判断したとき、原稿読取部５の動作を制御することによって、原稿読取部５の有する光源を点灯させ、プラテンガラス１６１に載置されている原稿Ｍ１を上記原稿読取開始位置から、主走査方向に延びるライン例えば１ライン分読み取らせる。
【００５０】
続いて、制御部１００は、原稿読取部５による読み取りで得られた画像データを取り込み、原稿サイズ検知部１０２は、取り込まれた画像データに基づいて、主走査方向における原稿Ｍ１のサイズを検知する。
【００５１】
原稿Ｍ１が存在する場所は、光源から出射された光が原稿Ｍ１によって反射され、原稿Ｍ１が存在しない場所は、光源から照射された光は原稿Ｍ１によって反射されない。従って、反射光の有無を読取センサーで検出することによって、主走査方向における原稿載置領域を特定し、主走査方向における原稿Ｍ１のサイズを検知することができる。
【００５２】
なお、原稿マット６１が完全に閉じられる直前に光源を点灯させて、主走査方向における原稿Ｍ１のサイズを検知するのは、原稿マット６１が完全に閉じられた後に光源を点灯させると、原稿Ｍ１が載置されていない部分においても原稿マット６１に反射され、原稿Ｍ１からの反射光と誤って検出してしまうからである。
【００５３】
（２−２）副走査方向における原稿Ｍ１のサイズの検知について説明する。
【００５４】
原稿サイズ検知部１０２は、原稿Ｍ１の副走査方向における原稿サイズを、予め定められた定型の原稿サイズについての主走査方向サイズ及び副走査方向サイズを示す情報から、前記検知した主走査方向における原稿サイズに対応する副走査方向における原稿サイズを決定する。
【００５５】
例えば、原稿サイズ検知部１０２は、主走査方向における原稿のサイズが５３．９８ｍｍで、定型の原稿サイズであるＩＤカードの短辺の長さと一致する場合には、原稿Ｍ１はＩＤカードであると判定して、副走査方向における原稿のサイズを８５．６０ｍｍに決定する。この場合、原稿サイズ検知部１０２が、定型の原稿サイズであるＩＤカードについての主走査方向サイズ及び副走査方向サイズとして、５３．９８ｍｍ及び８５．６０ｍｍ（国際規格（ＩＳＯ７８１０））を保有しているものとする。
【００５６】
また、原稿サイズ検知部１０２は、主走査方向における原稿のサイズが２１０ｍｍで、Ａ４判の短辺の長さと一致する場合には、原稿Ｍ１はＡ４判であると判定して、副走査方向における原稿のサイズを２９７ｍｍに決定する。この場合、原稿サイズ検知部１０２が、定型の原稿サイズであるＡ４判についての主走査方向サイズ及び副走査方向サイズとして、２１０ｍｍ及び２９７ｍｍを保有しているものとする。
【００５７】
上記第１実施形態によれば、原稿マット６１が開いているときに光源が点灯している状態で、プラテンガラス１６１の奥側から予め定められた距離Ｌ１の範囲内において原稿読取部５による読み取りで得られた画像データに基づいて、副走査方向における原稿載置領域を特定することによって、副走査方向における原稿Ｍ１のサイズが検知される。
【００５８】
プラテンガラス１６１の奥側から近い場所は、原稿マット６１が開いた状態でも、外乱光の影響を受けないので、副走査方向における原稿載置領域を正確に特定することができる。従って、原稿マット６１が開いた状態でも、副走査方向における原稿Ｍ１のサイズを正確に検知することができる。このため、副走査方向における原稿Ｍ１のサイズを検知するための専用のセンサーを新たに設置する必要がないので、コストの増大を抑えることができる。また、主走査方向における原稿Ｍ１のサイズについても、外乱光の影響を受けることなく、正確に検知することができる。
【００５９】
なお、上記実施形態に示した原稿サイズ検知処理によれば、原稿読取部５が、ＣＣＤ又はＣＩＳのいずれの方式を採用した場合であっても、上述した正確な原稿サイズ検知が可能である。
【００６０】
ところで、既存のコピー機等には、原稿Ｍ１の周囲を消去する枠消し処理機能を実行可能なシステムが装備されているものがあるが、ＩＤカードの場合、四方縁部まで色々な情報が記載されていることがあり、当該枠消し処理により原稿Ｍ１の周囲を消去する処理を行うと、当該枠消し処理は読み取られた原稿画像の輪郭よりも少々内側に入り込んだ箇所まで周囲画像を消去する設定であることが多いため、重要な情報が消去されてしまうおそれがある。
【００６１】
そこで、第２実施形態として、図９に示すように、制御ユニット１０が、枠消し処理部１０３と、制限部１０４とを備えるようにしてもよい。
【００６２】
枠消し処理部１０３は、上述した既存の枠消し処理を行う。枠消し処理部１０４は、原稿読取部５による読み取りで得られた画像データを補正することによって、原稿画像の輪郭よりも内側に入り込んだ予め定められた位置（例えば、５ｍｍ）までの原稿画像部分を含んで、原稿画像の周囲画像を消去する設定である。
【００６３】
第１実施形態と同様に、制御ユニット１０は、ＨＤＤ９２に記憶されている制御プログラムに従った動作により、制御部１００、操作受付部１０１、原稿サイズ検知部１０２、枠消し処理部１０３、及び制限部１０４として機能する。但し、制御部１００等は、制御ユニット１０による制御プログラムに従った動作によらず、上記各部をそれぞれハードウェア回路により構成することも可能である。
【００６４】
制限部１０４は、原稿サイズ検知部１０２により検知された原稿サイズに基づいて、プラテンガラス１６１に載置されている原稿Ｍ１のサイズが予め定められたサイズ、例えばＩＤカードのサイズであり、原稿Ｍ１がＩＤカードであると判断した場合、又は操作受付部１０１が読取対象の原稿Ｍ１が例えばＩＤカードであるとのユーザーによる指定を受け付けた場合、原稿画像の輪郭から上記予め定められた位置までの距離を予め定められた値（例えば、予め定められた位置までの距離が５ｍｍのときは当該予め定められた値を２ｍｍとする）だけ小さくする、又は、原稿画像の輪郭から上記予め定められた位置までの消去処理を禁止する。
【００６５】
これにより、原稿Ｍ１がＩＤカードであると判断された場合、又はユーザーにより「ＩＤコピー」との指示があった場合、例えば、消去の範囲を５ｍｍから３ｍｍに狭くしたり、又は当該消去を禁止したりするので、原稿画像の輪郭付近に存在する重要な情報が消去されることを回避することができる。
【００６６】
また、本発明は上記実施の形態の構成に限られず種々の変形が可能である。また、上記実施形態では、本発明に係る画像読取装置の一実施形態として複合機を用いて説明しているが、これは一例に過ぎず、例えば、コピー機能、ファクシミリ機能、スキャナー機能等を有した他の画像読取装置でもよい。
【００６７】
また、上記実施形態では、図１乃至図９を用いて上記実施形態により示した構成及び処理は、本発明の一実施形態に過ぎず、本発明を当該構成及び処理に限定する趣旨ではない。
【符号の説明】
【００６８】
１        画像形成装置
５        原稿読取部
５１      マット開閉検知センサー
６１      原稿マット
１００    制御部
１０１    操作受付部
１０２    原稿サイズ検知部
１０３    枠消し処理部
１０４    制限部
１６１    プラテンガラス
【図１】
2019068259.tif 000003
【図２】
2019068259.tif 000004
【図３】
2019068259.tif 000005
【図４】
2019068259.tif 000006
【図５】
2019068259.tif 000007
【図６】
2019068259.tif 000008
【図７】
2019068259.tif 000009
【図８】
2019068259.tif 000010
【図９】
2019068259.tif 000011